(57)【要約】【課題】接点の意図しない開閉状態の変更を防止できるスライドスイッチを備えた電磁継電器を提供する。【解決手段】電磁継電器（１）が、カバー（７０）と、カバー（７０）内に収納されたスライドレバー（８０）および弾性テストボタン（９０）と、カバー（７０）に取り付けられたストッパ（１００）とを備え、このストッパ（１００）がスライドレバー（８０）を位置規制できるように配置されている。これにより、接点機構（３０）を復帰状態に復帰させるため、スライドレバー（８０）の復帰位置にスライドレバー（８０）を位置規制できる。【選択図】図１
2015173020.tif 000002
【特許請求の範囲】
【請求項１】
ケースと、このケース内に収納された接点機構とを備える電磁継電器であって、
前記ケースの一面に取り付けられたカバーと、
前記カバー内に収納され、かつ、前記カバーに設けられた操作孔を介してスライド操作可能なスライドレバーと、
前記カバー内に収納され、前記スライドレバーのスライド操作に従って前記ケースの一面に対して交差する方向に動作する弾性テストボタンと、
前記カバーに取り付けられ、前記スライドレバーを位置規制できるように配置されたストッパと、
を有し、
前記スライドレバーのスライド操作に従った前記弾性テストボタンの動作に連動して前記接点機構の接点を開閉させると共に、前記接点機構を復帰状態に保つために、前記スライドレバーを前記スライドレバーの復帰位置に、前記ストッパで位置規制できるスライドスイッチを備えていることを特徴とする電磁継電器。
【請求項２】
前記ストッパが、前記スライドレバーを前記復帰位置に位置規制するための規制位置と、前記スライドレバーの前記復帰位置における位置規制が解除されていることを示すための開放位置とに位置決め可能であることを特徴とする、請求項１に記載の電磁継電器。
【請求項３】
前記ストッパが、前記操作孔の一部を塞いで前記スライドレバーを前記復帰位置に位置規制できるように、前記カバーに回動操作可能に取り付けられていることを特徴とする、請求項１または２に記載の電磁継電器。
【請求項４】
前記復帰位置から前記接点機構を動作状態にするための動作位置への前記スライドレバーのスライド操作の方向が、前記規制位置から前記開放位置への前記ストッパの回動操作の方向と一致し、前記動作位置から前記復帰位置への前記スライドレバーのスライド操作の方向が、前記開放位置から前記規制位置への前記ストッパの回動操作の方向と一致していることを特徴とする、請求項３に記載の電磁継電器。
【請求項５】
前記カバーの前記操作孔の少なくとも片側縁部に、前記スライドレバーの誤操作を防止する誤操作防止壁が突設されていることを特徴とする、請求項４に記載の電磁継電器。
【発明の詳細な説明】
【技術分野】
【０００１】
本発明は、例えば動作確認に用いられるスライドスイッチを備える電磁継電器に関する。
【背景技術】
【０００２】
従来の動作確認用のスイッチを備える電磁継電器としては、特許文献１（特開平１１−９６８７５号公報）に記載されたものがある。この電磁継電器は、ケーシングの上面に配置された旋回レバーと、ケーシングの内部に配置され、旋回レバーと一体成形されたレバーアームとを備えている。そして、ケーシングの上面に対して垂直方向に旋回レバーを回動操作することで、レバーアームを介して接点の開閉を行っている。
【先行技術文献】
【特許文献】
【０００３】
【特許文献１】特開平１１−９６８７５号公報
【発明の概要】
【発明が解決しようとする課題】
【０００４】
しかしながら、前記電磁継電器では、ユーザの手などが旋回レバーに触れた場合に、旋回レバーが回動し、接点の開閉状態が意図せず変更されてしまうおそれがあった。特に、接点を開放（接点オフ）状態にしておく必要がある場合に、誤って接点を閉鎖（接点オン）状態にしてしまったとき、電磁継電器として機能しないだけでなく、短絡などによって、機器が故障してしまうおそれがあった。
【０００５】
本発明は、前述の問題に鑑み、接点の意図しない開閉状態の変更を防止できるスライドスイッチを備えた電磁継電器を提供することを課題とする。
【課題を解決するための手段】
【０００６】
本発明に係る電磁継電器は、前記課題を解決すべく、ケースと、このケース内に収納された接点機構とを備える電磁継電器であって、前記ケースの一面に取り付けられたカバーと、前記カバー内に収納され、かつ、前記カバーに設けられた操作孔を介してスライド操作可能なスライドレバーと、前記カバー内に収納され、前記スライドレバーのスライド操作に従って前記ケースの一面に対して交差する方向に動作する弾性テストボタンと、前記カバーに取り付けられ、前記スライドレバーを位置規制できるように配置されたストッパと、を有し、前記スライドレバーのスライド操作に従った前記弾性テストボタンの動作に連動して前記接点機構の接点を開閉させると共に、前記接点機構を復帰状態に保つために、前記スライドレバーを前記スライドレバーの復帰位置に、前記ストッパで位置規制できるスライドスイッチを備えていることを特徴としている。
【発明の効果】
【０００７】
本発明によれば、接点機構を復帰状態に保つために、スライドレバーを、このスライドレバーの復帰位置に位置規制できるストッパを有している。このため、スライドレバーの誤操作を防止して、接点の意図しない開閉状態の変更を防止できる。
【０００８】
なお、接点機構の復帰状態とは、接点機構の接点が、この接点の復帰位置に位置している状態をいい、接点の復帰位置とは、電磁継電器に電磁力を発生させていない場合に、接点機構の接点が位置する位置をいう。
【０００９】
本発明の実施形態としては、前記ストッパが、前記スライドレバーを前記復帰位置に位置規制するための規制位置と、前記スライドレバーの前記復帰位置における位置規制が解除されていることを示すための開放位置とに位置決め可能である構成としてもよい。
【００１０】
本実施形態によれば、ストッパを規制位置および開放位置に位置決めできるので、スライドレバーが復帰位置に位置しているか否かが明確になる。これにより、スライドレバーの誤操作を防止して、接点の意図しない開閉状態の変更を防止できる。
【００１１】
本発明の実施形態としては、前記ストッパが、前記操作孔の一部を塞いで前記スライドレバーを前記復帰位置に位置規制できるように、前記カバーに回動操作可能に取り付けられている構成としてもよい。
【００１２】
本実施形態によれば、ストッパが、操作孔の一部を塞いでスライドレバーを復帰位置に位置規制できるので、確実にスライドレバーのスライド操作を制限できる。また、ストッパが操作孔の一部を塞ぐことができるので、操作孔からスライドスイッチ内への塵埃等の侵入を防止できる。
【００１３】
本発明の実施形態としては、前記復帰位置から前記接点機構を動作状態にするための動作位置への前記スライドレバーのスライド操作の方向が、前記規制位置から前記開放位置への前記ストッパの回動操作の方向と一致し、前記動作位置から前記復帰位置への前記スライドレバーのスライド操作の方向が、前記開放位置から前記規制位置への前記ストッパの回動操作の方向と一致している構成としてもよい。
【００１４】
本実施形態によれば、スライドレバーのスライド操作の方向とストッパの回動操作の方向とが同期しているので、スライドレバーが少なくとも復帰位置に位置規制されているか否を確認し易い。このため、スライドレバーの誤操作を防止して、接点の意図しない開閉状態の変更を防止できる。
【００１５】
なお、接点機構の動作状態とは、接点機構の接点が、この接点の動作位置に位置している状態をいい、接点の動作位置とは、電磁継電器に電磁力を発生させている場合に、接点機構の接点が位置する位置をいう。
【００１６】
本発明の実施形態としては、前記カバーの前記操作孔の少なくとも片側縁部に、前記スライドレバーの誤操作を防止する誤操作防止壁が突設されている構成としてもよい。
【００１７】
本実施形態によれば、誤操作防止壁によって、意図しないスライドレバーへの接触を防いで、スライドスイッチの誤操作を防止できる。
【図面の簡単な説明】
【００１８】
【図１】本発明の一実施形態の電磁継電器のストッパが規制位置にある状態を示す斜視図である。
【図２】図１の電磁継電器のストッパが開放位置にある状態を示す斜視図である。
【図３】図１の電磁継電器のカバーを外した状態を示す斜視図である。
【図４】図１の電磁継電器のスライドレバーが復帰位置に位置している状態を示すIV−IV縦断面図である。
【図５】図２の電磁継電器のスライドレバーが動作位置に位置している状態を示すV−V縦断面図である。
【図６】図１の電磁継電器の分解斜視図である。
【図７】図５とは異なる角度からみた分解斜視図である。
【図８】図１の電磁継電器のカバーを示す斜視図である。
【図９】図８のカバーの内部を示す平面図である。
【図１０】図１の電磁継電器の弾性テストボタンを示す斜視図、正面図および側面図である。
【図１１】図１の電磁継電器の弾性テストボタンを示す斜視図（図１１（Ａ））、上面図（図１１（Ｂ））および底面図（図１１（Ｃ））である。
【図１２】図１の電磁継電器とは異なる実施形態の電磁継電器のスライドスイッチを示す斜視図である。
【図１３】図１２のスライドスイッチのストッパを示す斜視図である。
【発明を実施するための形態】
【００１９】
以下、本発明に係る電磁継電器の実施形態を図１ないし図１２の添付図に従って説明する。
【００２０】
本実施形態の電磁継電器１は、図１乃至図６に示すように、ベースプレート１０と、ベースプレート１０上に取り付けられたコイルブロック２０，接点機構３０およびケース４０とからなると共に、ケース４０上にスライドスイッチ２が取り付けられている。なお、コイルブロック２０および接点機構３０は、ケース４０内に収納されている。
【００２１】
ベースプレート１０は、図６，図７に示すように、平面矩形状で、絶縁性を有する樹脂材料からなっている。また、前記ベースプレート１０は、図４，図５に示すように、絶縁壁１３を有しており、この絶縁壁１３によって、コイルブロック２０を取り付けるための第１領域１１と、接点機構３０を取り付けるための第２領域１２とが仕切られている。前記絶縁壁１３の両側面には、図６，図７に示すように、ケース取付用突起１４が形成されている（図６，図７には一方のケース取付用突起１４のみを示している）。また、ケース取付用突起１４の上側には、後述するカード５０を取り付けるためのカード取付孔１８が形成されている。
【００２２】
ベースプレート１０の第１領域１１の底面には、コイルブロック２０の一対のコイル端子２１，２１を組み付けるための端子孔１５ａ，１５ａが形成されている。
【００２３】
また、ベースプレート１０の第２領域１２の底面には、後述する接点機構３０の可動接点端子３１および第１，第２固定接点端子３２，３３を組み付けるための端子孔１７ａ，１７ｂ，１７ｃと、接点機構３０の第１，第２固定接点端子３２，３３を固定するための絶縁部１６，１６とが形成されている。そして、絶縁部１６，１６の間には、可動接点端子３１が組み付けられている。
【００２４】
コイルブロック２０は、図４，図５に示すように、一対のコイル端子２１，２１と、貫通孔２４を有するスプール２２と、このスプール２２に巻回されたコイル２３と、貫通孔２４に挿入された鉄心２５と、鉄心２５の下端にカシメ固定された略Ｌ字形状のヨーク２６とから構成されている。コイル端子２１，２１は、ベースプレート１０の底面から突出するように配置され、スプール２２の下端に設けられたフランジ部２２ａに固定されている。ヨーク２６は、鉄心２５の下端にカシメ固定されている水平部２６ａと、コイル２３に沿って上方に延びている垂直面部２６ｂとからなっている。この垂直面部２６ｂの側面の上端には、ヒンジバネ２７がカシメ固定されている。
【００２５】
接点機構３０は、図４，図５に示すように、可動接触片３１ａと、可動接触片３１ａの両側にそれぞれ配置されている第１，第２固定接触片３２ａ，３３ａとで構成されている。
【００２６】
可動接触片３１ａは、上端に形成された可動接点３１ｂと、下端に形成され、クランク状に屈曲された可動接点端子３１とを有している。前記可動接点３１ｂは、中央に可動接触片３１ａが位置するように、可動接触片３１ａと一体化されている。第１固定接触片３２ａは、上端にカシメ固定された常開固定接点となる第１固定接点３２ｂと、下端に形成された第１固定接点端子３２とを有している。また、第２固定接触片３３ａは、開口部３３ｃが形成された板状で、上端にカシメ固定された常閉固定接点となる第２固定接点３３ｂと、下端に形成され、クランク状に屈曲された第２固定接点端子３３とを有している。可動接点端子３１および第１，第２固定接点端子３２，３３は、ベースプレート１０の底面から突出するように配置されている。
【００２７】
コイルブロック２０と接点機構３０との間には、図４，図５に示すように、カード５０および可動鉄片６０が配置されている。
【００２８】
カード５０は、カード本体５１と、カード本体５１の一面の中央部に形成された押込突出部５２とを有しており、押込突出部５２の先端が、第２固定接触片３３ａの開口部３３ｃを貫通するように配置されている。押込突出部５２が形成されているカード本体５１の背面には、カード５０と可動鉄片６０とを連結するための押圧受け部５３が形成されている。
【００２９】
また、カード本体５１には、図６，図７に示すように、一方の端部に一対の弾性片５４，５４が形成されている。一対の弾性片５４，５４は、一定の間隔を空けて配置されており、その自由端の両側面に、円柱形状のカード取付用突起５５，５５を有している。このカード取付用突起５５，５５をベースプレート１０のカード取付孔１８に嵌め込むことによって、カード５０がベースプレート１０に回動自在に取り付けられている。
【００３０】
可動鉄片６０は、略Ｌ字形状で、スライドスイッチ２の弾性テストボタン９０により押圧される押圧部６１と、押圧部６１よりも巾狭の連結腕部６２とからなっている。前記可動鉄片６０は、ヨーク２６の垂直面部２６ｂの上端を中心として回動自在に配置されており、前記可動鉄片６０の連結腕部６２とカード５０の押圧受け部５３とが、接触するように配置されている。また、前記可動鉄片６０は、ヨーク２６の垂直面部２６ｂに取り付けられているヒンジバネ２７によって、回動中心がずれないように支持されている。
【００３１】
ケース４０は、図６，図７に示すように、一面が開口している箱形状で、透光性を有する樹脂材料からなっている。ケース４０の開口縁部の中央には、ケース取付孔４１が形成されている。このケース取付孔４１にベースプレート１０のケース取付用突起１４を嵌め込むことによって、ケース４０がベースプレート１０に取り付けられる。また、ケース４０のコイルブロック２０側の側端面には、爪部４２が形成されている。この爪部４２は、図示しないパネルに電磁継電器１を取り付けた後、取り外す際に指を引っかけるためのものである。
【００３２】
ケース４０の側端面の上端には、図３に示すように、スライドスイッチ２を取り付けるための取付溝４３，４３が形成されている。ケース４０の上面には、突部４４と、後述する弾性テストボタン９０を配置するための動作孔４５とが形成されている。突部４４は中空で、内部にカード５０の上端部が収納されている。動作孔４５は、可動鉄片６０の押圧部６１上に配置されている。また、動作孔４５の一方の外側縁部には、弾性テストボタン９０を支持するための支持壁４６が形成されている。
【００３３】
スライドスイッチ２は、図１〜図３に示すように、ケース４０の上面に取り付けられたカバー７０と、カバー７０内に収納されたスライドレバー８０および弾性テストボタン９０と、カバー７０の上面に１８０°回動可能に取り付けられたストッパ１００とで構成されている。弾性テストボタン９０は、ケース４０の動作孔４５に挿入されている。そして、前記スライドレバー８０は、弾性テストボタン９０の上に、スライド操作可能に配置されている。
【００３４】
カバー７０は、図８に示すように、その上面に、スライドレバー８０をスライド操作するための操作孔７１を有している。この操作孔７１の縁部には、スライドレバー８０の誤操作を防止する一組の誤操作防止壁７２が、スライドレバー８０のスライド操作方向Ｄに沿って突設されている。この誤操作防止壁７２の内側面には、ストッパ１００を回動可能に支持するための軸受部７７と、ストッパ１００を位置決めするための位置決め孔７９ａ，７９ｂとが各々設けられている。また、カバー７０の上面の端部には、ストッパ１００を支持するための支持突部７６が突設されている。この支持突部７６の一側面には、軸受部７７と共にストッパ１００を回動可能に支持するための凹部７８が設けられている。この凹部７８は、軸受部７７と対向するように配置されている。
【００３５】
カバー７０の長手方向の両端面には、ケース４０の取付溝４３，４３に嵌め込んでカバー７０をケース４０に取り付けるための取付爪７３，７３が形成されている。また、カバー７０の内面である内側面７０ａには、図９に示すように、一対の溝部、すなわち、スライドレバー８０を復帰位置で保持するための第１溝部７４と、動作位置で保持するための第２溝部７５とが形成されている。この第１，第２溝部７４，７５と後述するスライドレバー８０の弾性ロック爪８２とで、ロック機構を構成している。
【００３６】
スライドレバー８０は、図３に示すように、本体部８１と、弾性ロック爪８２と、スライド支持部８４と、押圧用突起８５とが、一体形成されている。
【００３７】
本体部８１は、板形状で、カバー７０の操作孔７１よりも大きく、スライドレバー８０の位置に関わらず、操作孔７１を塞ぐ平面形状を有している。
【００３８】
弾性ロック爪８２は、平面Ｒ字形状を有し（図６，図７参照）、本体部８１からスライドレバー８０のスライド操作方向Ｄに沿って延在している。弾性ロック爪８２を平面Ｒ字形状とすることで、弾性力を確保しつつ、本体部８１と弾性ロック爪８２との接合部分にかかる応力を分散してスライドレバー８０を長寿命化している。
【００３９】
操作用突起８３は、中央に溝を有する略正方体形状を有し、本体部８１の上面に配置されている。この操作用突起８３を設けることによって、スライドレバー８０をスライド操作し易くしている。なお、中央の溝はドライバーなどで操作する場合に備えて設けたものであり、溝がない構造としてもかまわない。
【００４０】
スライド支持部８４は、略四角柱形状を有し、本体部８１の下面略中央に突設されている。前記スライド支持部８４は、スライドレバー８０をカバー７０の天井面７０ｂに圧接した状態の本体部８１の下面からケース４０の上面までの距離に略等しい長さを有している。
【００４１】
押圧用突起８５は、側面台形状を有し、本体部８１の弾性ロック爪８２側の端部の下面に突設されている。押圧用突起８５の弾性ロック爪８２側の側面には、斜面が形成されており、スライドレバー８０をスライド移動させることで、弾性テストボタン９０を鉛直方向に押圧できるようになっている。
【００４２】
なお、スライドレバー８０の復帰位置は、図４に示すように、接点機構３０の可動接点３１ｂと常閉固定接点である第２固定接点３３ｂとが接触しているとき（すなわち、接点機構３０が復帰状態にあるとき）のスライドレバー８０の位置である。そして、スライドレバー８０の動作位置は、図５に示すように、接点機構３０の可動接点３１ｂと常開固定接点である第１固定接点３２ｂとが接触しているとき（すなわち、接点機構３０が動作状態にあるとき）のスライドレバー８０の位置である。
【００４３】
弾性テストボタン９０は、図１０に示すように、断面略π字形状を有し、平面四角形状の平板部９１と、平板部９１の対向する角部に各々形成された弾性腕部９２，９２と、平板部９１に突設され、弾性腕部９２，９２の間に位置している突出部９３とで構成され、一体成形されている。
【００４４】
弾性腕部９２，９２の各々は、平板部９１の一辺の両角部から、この一辺に直交する辺に沿って、平板部９１に対して角度を有するように直線状に延在している。
【００４５】
突出部９３は、２つの弾性片９３ａ，９３ａを有している。弾性片９３ａ，９３ａの間には、隙間が形成されている。弾性片９３ａ，９３ａの外向面の先端部には、ケース４０の動作孔４５の内側縁部に引っかけて弾性テストボタン９０を抜け止めするための爪部９３ｂ，９３ｂが形成されている。また、弾性片９３ａ，９３ａの内側面には、押出用凸部９３ｃ，９３ｃが、互いに対向しない位置に形成されている。この押出用凸部は、金型から弾性テストボタン９０を押し出すために用いられる。
【００４６】
ストッパ１００は、図１１に示すように、ストッパ本体１０１と、ストッパ本体１０１に設けられた操作用平板１０２とから構成されている。
【００４７】
ストッパ本体１０１は、その一端に、対向するように突設されている一対の腕部１０３，１０４を有している。腕部１０３，１０４の先端には、円柱形状の第１，第２軸部１０５，１０６が設けられている。この第１，第２軸部１０５，１０６の各々は、ストッパ本体１０１の幅方向Ｗに延在しており、その外側端部に軸突起１０５ａ，１０６ａを有している。
【００４８】
第１軸部１０５は、両端部が腕部１０３から突出しており、外側の端部が誤操作防止壁７２の軸受部７７に取り付け可能であり、かつ、内側の端部が支持突部７６の凹部７８に嵌合可能になっている。また、第２軸部１０６は、外側の端部のみが腕部１０４から突出しており、外側の端部が誤操作防止壁７２の軸受部７７に取り付け可能になっている。つまり、第１軸部１０５および第２軸部１０６は、ストッパ１００の回転軸であり、同一軸心上に配置されている。
【００４９】
さらに、ストッパ本体１０１の両側面には、位置決め突起１０７がそれぞれ設けられている。この位置決め突起１０７は、カバー７０の誤操作防止壁７２に設けられた位置決め孔７９ａ，７９ｂに嵌合可能に配置されている。
【００５０】
操作用平板１０２は、平面矩形状で、ストッパ本体１０１上に一体成形されている。この操作用平板１０２の幅方向Ｗの大きさは、カバー７０の幅と略同じ大きさを有している。この操作用平板１０２を設けることで、ストッパ１００の操作を容易にしている。
【００５１】
次に、電磁継電器１の組立方法について説明する。この電磁継電器１は、図４に示す復帰状態（スライドレバー８０が復帰位置にあり、接点機構３０が復帰状態にある）で組み立てられる。
【００５２】
まず、予めコイルブロック２０を組み立てておき、コイル端子２１，２１をスプール２２のフランジ部２２ａに圧入し、コイル２３の端部をコイル端子２１，２１にそれぞれ巻き付ける。
【００５３】
そして、ベースプレート１０に可動接触片３１ａの可動接点端子３１および第１，第２固定接触片３２ａ，３３ａの第１，第２固定接点端子３２，３３を圧入し、ベースプレート１０の底面からそれぞれ突出させる。このとき、図３に示すように、可動接点３１ｂと常閉固定接点である第２固定接点３３ｂとが接触し、可動接点３１ｂと常開固定接点である第１固定接点３２ｂとが、接離可能に対向するようになっている。
【００５４】
次に、カード５０をベースプレート１０に取り付ける。このとき、カード５０の押込突出部５２の先端が、第２固定接触片３３ａの開口部３３ｃを貫通するように取り付ける。
【００５５】
続いて、ベースプレート１０にコイルブロック２０を取り付け、ベースプレート１０の底面からコイル端子２１，２１を突出させる。そして、可動鉄片６０をヨーク２６の垂直面部２６ｂの上端を中心として回動自在に配置する。このとき、可動鉄片６０は、連結腕部６２とカード５０の押圧受け部５３とが接触するように配置する。
【００５６】
この状態では、可動鉄片６０は、カード５０の押圧受け部５３に接触しているだけであり、カード５０を接点機構３０側に押圧していない。
【００５７】
ベースプレート１０へのコイルブロック２０および接点機構３０の組み付けが完了すると、ベースプレート１０にケース４０を取り付ける。そして、ケース４０の動作孔４５に弾性テストボタン９０を挿入すると共に、ケース４０上にスライドレバー８０を配置して、スライドレバー８０の弾性ロック爪８２が、カバー７０の第１溝部７４に位置するように、カバー７０を取り付ける。
【００５８】
この状態では、弾性テストボタン９０が、弾性腕部９２の弾性力によって、弾性ロック爪８２をカバー７０の天井面７０ｂに圧接するように付勢している。また、スライド支持部８４と弾性テストボタン９０とによって、スライドレバー８０をカバー７０の天井面７０ｂに対して常に略平行な状態を維持できるように支持されている。そのため、スライドレバー８０が復帰位置にあるとき、スライドレバー８０とカバー７０の操作孔７１との間の隙間を確実に塞ぐことができる。
【００５９】
また、スライド移動の際の無用な抵抗の発生を防ぐため、スライドレバー８０のスライド支持部８４とケース４０の上面との間に、僅かな隙間を形成している。これにより、スライドレバー８０のスライド操作を容易にしている。
【００６０】
さらに、カバー７０をケース４０に取り付けた後、カバー７０にストッパ１００を取り付ける。このとき、ストッパ１００は、第１，第２軸部１０５，１０６を中心として、スライドレバー８０のスライド方向に回動可能に取り付けられる。これにより、スライドレバー８０の操作方向とストッパ１００の操作方向とを同期させることができるので、スライドレバー８０が復帰位置に位置規制されているか否かが確認し易くなる。また、ストッパ１００の上面および底面を異なる色で着色することによって、スライドレバー８０が復帰位置に位置規制されているか否かをより容易に確認できる。なお、ストッパ１００は、カバー７０に予め取り付けるようにしてもよい。
【００６１】
続いて、スライドスイッチ２のスライドレバー８０を復帰位置から動作位置にスライド操作するときの電磁継電器１の動作について説明する。
【００６２】
スライドレバー８０が復帰位置にあるとき、ストッパ１００は、図１に示す位置（規制位置）に配置されている。このとき、図４に示すように、ストッパ本体１０１が、操作孔７１における操作用突起８３が突出している一部分を除く他の部分を塞いで、スライドレバー８０を復帰位置に確実に位置規制している。また、ストッパ本体１０１の位置決め突起１０７が誤操作防止壁７２の位置決め孔７９ａに嵌合している。これにより、ストッパ１００が規制位置に位置決めされている。
【００６３】
スライドレバー８０を動作位置に移動させるために、まず、ストッパ１００を図２に示す位置（開放位置）まで回動し、操作孔７１を開放して、スライドレバー８０のスライド操作の制限を解除する。このとき、ストッパ本体１０１の位置決め突起１０７が誤操作防止壁７２の位置決め孔７９ｂに嵌合している。これにより、ストッパ１００が開放位置に位置決めされ、ストッパ１００がスライドレバー８０のスライド操作を妨げることがないので、スライドレバー８０の良好なスライド操作を担保できる。
【００６４】
次に、操作孔７１を介して、スライドレバー８０を復帰位置から動作位置にスライド操作すると、図４，図５に示すように、弾性ロック爪８２が第１溝部７４から押し出され、第２溝部７５に向かってスライド移動する。すると、弾性テストボタン９０が、スライドレバー８０の押圧用突起８５によって押圧され、次第にケース４０内部に押し込まれる。
【００６５】
スライドレバー８０を復帰位置から動作位置にスライド操作している間も、スライドレバー８０は、弾性テストボタン９０の弾性腕部９２の弾性力によって付勢され、カバー７０の天井面７０ｂに圧接している。
【００６６】
また、押圧用突起８５によって弾性テストボタン９０が受けるスライド操作方向Ｄの力が、ケース４０の支持壁４６により支持されている。これにより、スライドレバー８０のスライド操作による弾性テストボタン９０の動作孔４５からの脱落を防止すると共に、弾性テストボタン９０が、ケース４０の上面に対して直交する方向に確実に移動できるようにしている。
【００６７】
スライドレバー８０を動作位置まで移動させると、スライドレバー８０によりケース４０内部に押し込まれた弾性テストボタン９０が、可動鉄片６０の押圧部６１をコイルブロック２０に向かって押圧する。これにより、可動鉄片６０の押圧部６１が鉄心２５の磁板部２５ａに圧接すると共に、連結腕部６２がカード５０を接点機構３０側に押し込む。その結果、カード５０の押込突出部５２が可動接触片３１ａを第１固定接触片３２ａに向かって押し込んで、可動接触片３１ａが弾性変形し、可動接点３１ｂと常開固定接点である第１固定接点３２ｂとが接触して、図５に示す動作状態となる。
【００６８】
スライドレバー８０が動作位置まで移動すると、スライドレバー８０の弾性ロック爪８２が第２溝部７５に係合され、スライドレバー８０が動作位置で保持される。このように、スライドレバー８０の弾性ロック爪８２と第１，第２溝部７４，７５とで構成されているロック機構は、弾性テストボタン９０のスライドレバー８０に対する付勢力を確保しつつ、スライドレバー８０を動作位置および復帰位置で保持できる。
【００６９】
なお、スライドレバー８０を動作位置から復帰位置にスライド操作すると、押圧用突起８５の弾性テストボタン９０に対する圧力が解放され、弾性テストボタン９０が図３に示す復帰状態に復帰する。これにより、弾性テストボタン９０の可動鉄片６０に対する圧力が解放され、ヒンジバネ２７の弾性力によって可動鉄片６０が復帰状態に復帰する。そして、可動鉄片６０が復帰状態に復帰すると、可動鉄片６０のカード５０に対する圧力が解放されて、可動接点３１ｂが、可動接触片３１ａの弾性力によって、図５に示す動作状態から、図４に示す復帰状態に復帰する。このとき、カード５０は、可動接触片３１ａの弾性力によって、可動接点３１ｂと共に復帰状態に復帰する。このように、前記電磁継電器１では、スライドレバー８０のスライド操作に従った弾性テストボタン９０の動作に連動して、接点機構３０の接点が開閉するようになっている。
【００７０】
前記電磁継電器１によれば、接点機構３０を復帰状態に復帰させるための復帰位置にスライドレバー８０を位置規制できるストッパ１００を有している。このため、スライドレバー８０の誤操作を防止して、可動接点３１ｂの意図しない開閉状態の変更を防止できる。
【００７１】
また、前記電磁継電器１では、ストッパ１００を規制位置および開放位置に位置決めできるので、スライドレバー８０が復帰位置に位置しているか否かが明確になる。これにより、スライドレバー８０の誤操作を防止できる。
【００７２】
前記電磁継電器１は、前述の接点機構３０に限らず、任意の接点機構を用いることができる。
【００７３】
また、前記電磁継電器１は、前述のスライドスイッチ２に限らず、例えば、図１２に示すスライドスイッチ２０２を用いることもできる。このスライドスイッチ２０２は、カバー２７０と、スライドレバー２８０と、ストッパ３００とを備えている。スライドレバー２８０は、カバー２７０の長手方向の一端に設けられた操作孔を介して、スライド操作可能に配置されている。また、ストッパ３００は、図１３に示すように、略コ字形状で、把持部３０１と嵌合突起３０２とを有している。
【００７４】
このスライドスイッチ２０２では、カバー２７０側面のスライドレバー２８０側端部に嵌合溝２７１を設けている。そして、この嵌合溝２７１にストッパ３００の嵌合突起３０２を嵌合して、カバー２７０にストッパ３００を取り付けることにより、スライドレバー２８０を位置規制できるようになっている。
【００７５】
このように、スライドスイッチの設計等に応じて、異なる形状のスライドレバーおよびストッパを用いて、スライドレバーを任意の位置で位置規制できる。
【００７６】
前記電磁継電器１では、カバー７０の操作孔７１の縁部には、一組の誤操作防止壁７２が、スライドレバー８０のスライド操作方向Ｄに沿って突設されているが、これに限らない。誤操作防止壁は、操作孔の少なくとも片側縁部に突設されていればよい。
【００７７】
前記電磁継電器１では、常閉固定接点である第２固定接点３３ｂを設けて、接点機構３０の可動接点３１ｂと常閉固定接点である第２固定接点３３ｂとが接触しているときのスライドレバー８０の位置をスライドレバー８０の復帰位置としたが、これに限らない。例えば、第２固定接点（常閉固定接点）は必ずしも設ける必要はなく、可動接点と第１固定接点（常開固定接点）とが接触していないときのスライドレバーの位置をスライドレバーの復帰位置としてもよい。
【産業上の利用可能性】
【００７８】
本発明に係るスライドスイッチ２を備える電磁継電器１は、前記実施形態に限らず、
操作孔を介してスライド操作可能なスライドレバーと、スライドレバーを位置規制できるように配置したストッパとを備えるものであれば、特に限定されない。
【符号の説明】
【００７９】
１  電磁継電器
２，２０２  スライドスイッチ
１０ベースプレート
１１  第１領域
１２  第２領域
１３，１６  絶縁壁
１４  ケース取付用突起
１５ａ，１５ｂ，１７ａ，１７ｂ，１７ｃ  端子孔
１６  カード取付孔
２０  コイルブロック
２１  コイル端子
２２  スプール
２２ａ  フランジ部
２３  コイル
２４  貫通孔
２５  鉄心
２５ａ  磁板部
２６  ヨーク
２６ａ  水平部
２６ｂ  垂直面部
２７  ヒンジバネ
３０  接点機構
３１  可動接点端子
３１ａ  可動接触片
３１ｂ  可動接点
３２  第１固定接点端子
３２ａ  第１固定接触片
３２ｂ  第１固定接点
３３  第２固定接点端子
３３ａ  第２固定接触片
３３ｂ  第２固定接点
３３ｃ  開口部
４０  ケース
４１  ケース取付孔
４２  爪部
４３  取付溝
４４  突部
４５  動作孔
４６  支持壁
５０  カード
５１  カード本体
５２  押込突出部
５３  押圧受け部
５４  弾性片
５５  カード取付用突起
６０  可動鉄片
６１  押圧部
６２  連結腕部
７０，２７０  カバー
７０ａ  内側面
７０ｂ  天井面
７１  操作孔
７２  誤操作防止壁
７３  取付爪
７４  第１溝部
７５  第２溝部
７６  支持突部
７７  軸受部
７８  凹部
７９ａ，７９ｂ  位置決め孔
８０，２８０  スライドレバー
８１  本体部
８２  弾性ロック爪
８３  操作用突起
８４  スライド支持部
８５  押圧用突起
９０，１００，１１０，１２０  弾性テストボタン
９１  平板部
９２，１０２，１１２，１２２  弾性腕部
９３  突出部
９３ａ  弾性片
９３ｂ  爪部
９３ｃ  押出用凸部
１００，３００  ストッパ
１０１  ストッパ本体
１０２  操作用平板
１０３，１０４  腕部
１０５  第１軸部
１０５ａ  軸突起
１０６  第２軸部
１０６ａ  軸突起
１０７  位置決め突起
２７１  嵌合溝
３０１  把持部
３０２  嵌合突起
【図１】
2015173020.tif 000003
【図２】
2015173020.tif 000004
【図３】
2015173020.tif 000005
【図４】
2015173020.tif 000006
【図５】
2015173020.tif 000007
【図６】
2015173020.tif 000008
【図７】
2015173020.tif 000009
【図８】
2015173020.tif 000010
【図９】
2015173020.tif 000011
【図１０】
2015173020.tif 000012
【図１１】
2015173020.tif 000013
【図１２】
2015173020.tif 000014
【図１３】
2015173020.tif 000015